(57)【要約】      （修正有）【課題】ユーザは手持ちのマルチメディアをウェブ上に転送し、ユーザ自信が希望通りに同期編集したものをマルチ画面に再生表記することを可能にする。【解決手段】複数別種のマルチメディアファイルの記録から、同期情報の生成までをする記録装置と、同期させた複数別種のマルチメディアファイルをブラウザ上で見られるようにする出力再生装置とを有している。記録装置は、同期させるタイミングを処理し、マルチメディアファイル間の同期情報をユーザの指示に従って生成する。出力再生装置は、各種のマルチメディアファイルと生成された同期情報とをフラッシュオブジェクトに変換し、フラッシュオブジェクトに対応するフラッシュプレイヤを通してブラウザ上で見られるようにし、さらにベースファイルとサブファイルとを、異なる画面上でそれぞれ同期表示再生する。【選択図】図２
2009071791.tif 000002
【特許請求の範囲】
【請求項１】
マルチメディアファイルを同期させマルチ画面で再生するシステムに関して、前記マルチメディアファイルを記録し、同期させるタイミングを処理し、記録したマルチメディアファイル間の同期情報をユーザの指示に従って生成する、ユーザ端末とつながる記録装置と、前記マルチメディアファイルと生成された前記同期情報とを指定フォーマットのフラッシュオブジェクト変換し、前記フラッシュオブジェクトに対応するフラッシュプレイヤを通してブラウザ上で見られるようにする出力再生装置とを備えたことを特徴とするマルチメディアの同期再生ウェブベースソリューション。
【請求項２】
前記マルチメディアファイルは、前記ユーザ端末より転送されることを特徴とする請求項１記載のウェブベースソリューション。
【請求項３】
前記マルチメディアファイルは、ビデオ動画ファイルと音声ファイルとを含むベースファイルと、写真静止画ファイルとパワーポイントファイル、ＰＤＦファイルとを含むサブファイルとを含むことを特徴とする請求項１、２記載のウェブベースソリューション。
【請求項４】
前記同期情報の生成プロセスに関して、前記ユーザ端末のモニター上に同期する前記ベースファイルの再生時間を示すタイムラインが表示され、前記タイムライン上に同期させたい前記サブファイルを、ユーザが同期時間をカウント数字で入力、あるいはマウスで直接ドラッグすることで前記同期情報の生成が完成するグラフィカルなユーザインターフェイスを備えたことを特徴とする、請求項請求項１、２、３記載のウェブベースソリューション。
【請求項５】
前記ベースファイルには、ユーザのケータイ端末を含むモバイル端末から転送された動画ファイルを含むことを特徴とするウェブベースソリューション。
【発明の詳細な説明】
【技術分野】
【０００１】本発明は、マルチメディアの同期に関して、ウェブベースでユーザから転送された複数別種のマルチメディアファイルを指定通りに同期させ、複数画面で閲覧させる方法に関する。
【背景技術】
【０００２】インターネットおよびストリーミング技術の発達によって、オンライン上に動画ファイルをアップロードしそれを閲覧するシステムは普及しており、この動画ファイルにさらに別の静止画、音声等のファイルを同期させるソフトウェアも登場している。【０００３】プレゼンテーションソフトによって生成されるスライドをベースに、動画等のマルチメディアファイルを同期させる技術が開発されている。【０００４】音声ファイルと画像ファイルのセットとを自動的に同期させるマルチメディアプレゼンテーションを生成するシステムとして、特開２００４−１１０８２１により特許出願がされている。【０００５】さらに、米国マクロメディア社が開発したフラッシュ（音声やアニメーションを組み合わせてウェブコンテンツを作成するソフトウェア。フラッシュは商標）、フラッシュプレイヤ（フラッシュで作成したプログラムファイルを動作させるためのプログラム。フラッシュプレイヤは商標）、及びフラッシュコミュニケーションサーバ（フラッシュ専用のサーバアプリケーション。フラッシュコミュニケーションサーバは商標）が普及している。
【発明の開示】
【発明が解決しようとする課題】
【０００６】然し乍ら、従来のシステムにおいては、ユーザが手持ちの複数別種のマルチメディアデータを同期させたいと考えた場合、専用のソフトウェアで同期させたものを専用のツールで再生するか、あるいはウェブ上でこれを実現させるシステムでも、マルチメディアデータのアップロードはユーザサイドで自由にできても、それらの同期は、運営サイドによって行われる場合が多く、ユーザサイドが、簡単に手持ちの複数別種のマルチメディアデータをウェブベースで同期編集可能なソリューションはなかった。【０００７】さらにプレゼンテーションを目的に開発されたマルチメディアの同期を可能にするソリューションは、パワーポイント等のプレゼンテーションソフトによって生成されたスライドがベースファイルに想定されており、動画等のマルチメディアファイルをベースファイルとし、それに静止画や前記スライドファイルを含む複数別種のマルチメディアファイルをサブファイルとして同期させるウェブベースソリューションは存在しない。【０００８】従来マルチメディアファイルの同期を閲覧できる画面は単独である場合がほとんどであり、それぞれのマルチメディアが異なるマルチ画面で同期再生されるものは存在しない。【０００９】本発明は上記のような課題に鑑み、マルチメディアの同期に関して、ウェブベースでユーザから転送された複数別種のマルチメディアファイルをユーザサイドが自由に同期編集でき、それをマルチ画面で閲覧させる方法を提供する。
【課題を解決するための手段】
【００１０】本発明のマルチメディアの同期再生ウェブベースソリューションは、マルチメディアファイルを同期させマルチ画面で再生するシステムに関して、マルチメディアファイルを記録し、同期させるタイミングを処理し、記録したマルチメディアファイル間の同期情報をユーザの指示に従って生成する、ユーザ端末とつながる記録装置と、マルチメディアファイルと生成された同期情報とを指定フォーマットの米国マクロメディア社のフラッシュオブジェクト（フラッシュは商標登録）に変換し、フラッシュオブジェクトに対応するフラッシュプレイヤ（フラッシュプレイヤは商標登録）を通してブラウザ上で見られるようにする出力再生装置とを備えたことを特徴としている。【００１１】本発明のマルチメディアの同期再生ウェブベースソリューションは、マルチメディアファイルはユーザ端末より転送されることを特徴としている【００１２】本発明のマルチメディアの同期再生ウェブベースソリューションは、マルチメディアファイルは、ビデオ動画ファイルと音声ファイルとを含むベースファイルと、写真静止画ファイルとパワーポイントファイル、ＰＤＦファイルとを含むサブファイルとを含むことを特徴としている。【００１３】本発明のウェブベースソリューションは、同期情報の生成プロセスに関してユーザ端末のモニター上に同期するベースファイルの再生時間を示すタイムラインが表示され、タイムライン上に同期したいサブファイルを、ユーザが同期時間をカウント数字で入力、あるいはマウスで直接ドラッグすることで前記同期情報の生成が完成するグラフィカルなユーザインターフェイスを備えたことを特徴としている。【００１４】本発明の同期再生ウェブベースソリューションは、ベースファイルには、ユーザのケータイ端末を含むモバイル端末から転送された動画ファイルを含むことを特徴としている。
【発明の効果】
【００１５】本発明のマルチメディアの同期再生ウェブベースソリューションによれば、ユーザは手持ちのマルチメディアをウェブ上に転送し、ユーザ端末のモニター上に表示されるグラフィカルなユーザインターフェイスで、複数別種のマルチメディアを簡単に同期させることができ、さらにそれらをマルチ画面で再生表記することを可能にし、インターネットでつながるすべてのユーザ端末のブラウザで、これを閲覧可能にする。
【発明を実施するための最良の形態】
【００１６】本発明を実施するための最良の形態について、以下図面に基づき詳細に説明する。図１に示すようにユーザ端末１（１ａ〜１ｃ）と、記録装置２ａと出力再生装置２ｂとを有する管理サーバ２とが、インターネット回線１０１によって結ばれている。【００１７】図２は、ユーザ端末１からベースファイルとしての動画ファイル３ａと、ベースファイルに同期させたいサブファイルとしての静止画ファイル３ｂとパワーポイントファイル３ｃとを有するユーザが、当該ウェブベースソリューションを使って複数別種のマルチメディアファイル３を同期させる場合を示している。いまユーザ端末１から動画ファイル３ａと静止画ファイル３ｂとパワーポイントファイル３ｃとが転送され、管理サーバ２の記録装置２ａにより保存記録される。【００１８】図３はユーザ１の端末モニタに示される、マルチメディアファイルを同期させるインターフェイスであり、同期動画ファイル３ａの再生時間を表示するタイムライン５がマークされ、ユーザはそのタイムライン５上に、同期させたい静止画ファイル３ｂ１と３ｂ２、パワーポイントファイル３ｃ１と３ｃ２を直接マウスでドラッグすることで同期させることができる。【００１９】図３のインターフェイスで選択、決定された同期のタイミングに従って、動画ファイル３ａと静止画ファイル３ｂ、及びパワーポイントファイル３ｃの各種マルチメディアが同期されるプロセスは、引き続き図２に示されている。記録装置２ａは図２のように各種マルチメディアファイルを同期させるタイミングを処理し、動画同期情報４ａと静止画同期情報４ｂ、及びパワーポイント同期情報４ｃとを生成する。【００２０】図４は出力再生装置２ｂを詳細に示した図である。出力再生装置２ｂは動画ファイル３ａ、静止画ファイル３ｂ、パワーポイントファイル３ｃの各種のマルチメディアファイルと、記録装置２ａによって生成された動画同期情報４ａ、静止画同期情報４ｂ、パワーポイント同期情報４ｃとを、指定フォーマットのフラッシュオブジェクトに変換し、フラッシュオブジェクトに対応するフラッシュプレイヤを通してブラウザ上で見られるようにする。【００２１】図５は、フラッシュ、フラッシュプレイヤ、及びフラッシュコミュニケーションサーバを利用して、ベースファイルである動画ファイル３ａを画面甲上に、さらに動画ファイル３ａに同期させたいサブファイルである静止画ファイル３ｂ１と３ｂ２、およびパワーポイントファイル３ｃ１と３ｃ２とを画面乙上に、それぞれブラウザ上で再生される、ユーザ１の端末モニタでの表示画面を示したものである。
【図面の簡単な説明】
【００２２】
【図１】本発明のマルチメディアの同期再生ウェブベースソリューションに関する全体構成図
【図２】管理サーバの記録装置の詳細図
【図３】マルチメディアファイルを同期させるグラフィカルユーザインターフェイス
【図４】管理サーバの出力再生装置の詳細図
【図５】ブラウザによるマルチメディアファイルのマルチ画面での同期再生表示
【符号の説明】
【００２３】１０１  通信ネットワーク
２  管理サーバ
１ａ、１ｂ、１ｃ  ユーザ端末
２ａ  記録装置    ２ｂ  出力再生装置
３ａ  動画ファイル  ３ｂ  静止画ファイル  ３ｃ  パワーポイントファイル
４ａ  動画同期情報  ３ｂ  静止画同期情報  ３ｃ  パワーポイント同期情報
５  タイムライン
【図１】
2009071791.tif 000003
【図２】
2009071791.tif 000004
【図３】
2009071791.tif 000005
【図４】
2009071791.tif 000006
【図５】
2009071791.tif 000007